(57)【特許請求の範囲】
【請求項１】
セドレン、ベンズアルデヒド、セドロール、ツヨプセン、プレゴンおよびα−テルピネオールを含む植物精油並びに水系樹脂を含有する土砂処理剤。
【請求項２】
前記植物精油が、セドレン１００重量部に対し、ベンズアルデヒド６５〜８５重量部、セドロール５５〜７５重量部、ツヨプセン５０〜７０重量部、プレゴン３５〜５５重量部およびα−テルピネオール２５〜４５重量部を含む請求項１記載の土砂処理剤。
【請求項３】
前記水系樹脂が、水系ウレタン樹脂である請求項１または２記載の土砂処理剤。
【請求項４】
請求項１〜３のいずれか記載の土砂処理剤を用いてなる土砂の処理方法。
【発明の詳細な説明】
【技術分野】
【０００１】
本発明は、土砂処理剤に関するものである。詳細には、特に、掘削や浚渫により生じた土砂などに対して、優れた粉塵防止効果と消臭効果を示す土砂処理剤およびそれを用いた土砂の処理方法に関するものである。
【背景技術】
【０００２】
建設現場で発生する掘削土砂や、河川、湖沼および港湾で発生する浚渫土砂は、乾燥すると多量の粉塵が発生する。また、これらの土砂のうち、有機化合物を含む土砂は、微生物分解により臭気を発生するため、作業環境および周辺環境への影響を最小限にする方法が求められている。
【０００３】
このような方法の１つとして、従来より、土砂表面をシートなどで覆うことが行われている。しかしながら、この方法は、ごく限られた範囲であれば対応可能であるが、土砂の量が多く、広範囲にわたる場合には、現実的な方法であるとはいえない。また、表面を覆うだけでは、臭気の発生を抑制することはできない。
【０００４】
また、特許文献１には、高分子化合物を土砂に散布することが記載されている。
【先行技術文献】
【特許文献】
【０００５】
【特許文献１】特開２０１１−４２７４１号公報
【発明の概要】
【発明が解決しようとする課題】
【０００６】
しかしながら、特許文献１の方法では、粉塵の発生を抑制することはできるが、臭気が発生する土砂に対する消臭効果はほとんど得られない。また、土砂に消臭剤を散布することにより消臭効果が得られるが、その効果は一時的であり、頻繁に消臭剤を散布しなければ継続的に臭気を抑制することはできない。
【０００７】
そこで、本発明の課題は、土砂から発生する粉塵を防止するとともに、長期にわたって臭気を抑制することができる土砂処理剤を提供することである。
【課題を解決するための手段】
【０００８】
すなわち、本発明は、セドレン、ベンズアルデヒド、セドロール、ツヨプセン、プレゴンおよびα−テルピネオールを含む植物精油並びに水系樹脂を含有する土砂処理剤に関する。
【０００９】
前記植物精油が、セドレン１００重量部に対し、ベンズアルデヒド６５〜８５重量部、セドロール５５〜７５重量部、ツヨプセン５０〜７０重量部、プレゴン３５〜５５重量部およびα−テルピネオール２５〜４５重量部を含むことが好ましい。
【００１０】
前記水系樹脂が、水系ウレタン樹脂であることが好ましい。
【００１１】
また、本発明は、前記土砂処理剤を用いる、土砂の処理方法に関する。
【発明の効果】
【００１２】
本発明の土砂処理剤によれば、特定の植物精油と水系樹脂とを含有するので、土砂から発生する粉塵を防止するとともに、長期にわたって臭気を抑制することができる。
【発明を実施するための最良の形態】
【００１３】
本発明の土砂処理剤は、セドレン、ベンズアルデヒド、セドロール、ツヨプセン、プレゴンおよびα−テルピネオールを含む植物精油並びに水系樹脂を含んでいる。
【００１４】
植物精油とは、植物の枝葉、根茎、木皮、果実、つぼみおよび樹脂などから、水蒸気蒸留法、圧搾法または溶剤抽出法などにより抽出されるものであり、芳香と揮発性とを有している。このようにして得られる植物精油は、一般に多数の化合物からなる混合物であり、植物によって構成する成分に差異がある。
【００１５】
使用される植物およびその部位としては、例えば、バラ、ジャスミンおよびオレンジなどの花またはつぼみ、オレンジ、ゼラニウムおよびユーカリなどの葉、オレンジ、レモン、ライムおよびベルガモットなどの柑橘類の果皮、コショウおよびバニラなどの果実または種子、ビャクダン、マツ、ヒノキおよびシナモンなどの木皮、ベチバーおよびアヤメなどの根茎、ラベンダー、バジルおよびミントなどのハーブ類があげられる。
【００１６】
現在、植物精油として、１５００に及ぶ種類が知られているが、本発明においては、それらのなかでも、セドレン、ベンズアルデヒド、セドロール、ツヨプセン、プレゴンおよびα−テルピネオールを含む植物精油を使用する。含まれる成分の種類および量が、植物精油の特性に影響するが、これら６成分が含まれることにより、含窒素化合物または含硫黄化合物などによる腐敗臭、これらを含んだ試薬などの刺激臭、およびこれらが複合した悪臭を臭気中和する効果がある。なお、臭気中和とは、悪臭と植物精油の香りが混合されることにより、それぞれの臭気が相殺され、臭気レベルが低減されるという原理である。これら６成分を含む植物精油は、マツ、ヒノキ、クスノキまたはシソなどから抽出される。
【００１７】
本発明で使用される植物精油において、ベンズアルデヒドは、セドレン１００重量部に対して６５〜８５重量部含有されることが好ましく、７０〜８０重量部であることがより好ましい。ベンズアルデヒドの含有量を上記範囲内とすることにより、アンモニアに対する臭気中和効果がより優れたものとなる。
【００１８】
本発明で使用される植物精油において、セドロールは、セドレン１００重量部に対して５５〜７５重量部含有されることが好ましく、６０〜７０重量部であることがより好ましい。セドロールの含有量を上記範囲内とすることにより、硫化水素に対する臭気中和効果がより優れたものとなる。
【００１９】
本発明で使用される植物精油において、ツヨプセンは、セドレン１００重量部に対して５０〜７０重量部含有されることが好ましく、５５〜６５重量部であることがより好ましい。ツヨプセンの含有量を上記範囲内とすることにより、硫化水素に対する臭気中和効果がより優れたものとなる。
【００２０】
本発明で使用される植物精油において、プレゴンは、セドレン１００重量部に対して３５〜５５重量部含有されることが好ましく、４０〜５０重量部であることがより好ましい。プレゴンの含有量を上記範囲内とすることにより、腐敗臭およびカビ臭に対する臭気中和効果がより優れたものとなる。
【００２１】
さらに、本発明で使用される植物精油において、α−テルピネオールは、セドレン１００重量部に対して２５〜４５重量部含有されることが好ましく、３０〜４０重量部であることがより好ましい。α−テルピネオールの含有量を上記範囲内とすることにより、腐敗臭およびカビ臭に対する臭気中和効果がより優れたものとなる。
【００２２】
水系樹脂としては、水系ウレタン樹脂、水系アクリル樹脂、水系アミド樹脂、水系アクリルアミド樹脂、ポリビニルアルコール樹脂など、樹脂が水に溶解または分散しているものが挙げられる。
【００２３】
これらのうち、雨などの水に対する影響が少なく、より長期にわたって臭気を抑制できることから、水系ウレタン樹脂が好ましい。
【００２４】
このような水系ウレタン樹脂としては、
（１）平均分子量５０〜１００，０００で２個以上の活性水素原子含有ポリヒドロキシ化合物または前記ポリヒドロキシ化合物と平均分子量５０〜１００，０００で２個以上の活性水素原子含有多価アミン化合物の併用、有機ポリイソシアネート、並びにＮＣＯ基と反応性の活性水素原子および塩形成基を有する化合物から合成される塩形成基を有するウレタン樹脂を、塩形成剤を使用することにより、公知の方法で水中に混合乳化させたアニオン性、またはカチオン性水系ウレタン樹脂、
（２）平均分子量５０〜１００，０００で２個以上の活性水素原子含有ポリヒドロキシ化合物または前記ポリヒドロキシ化合物と平均分子量５０〜１００，０００で２個以上の活性水素原子含有多価アミン化合物の併用、有機ポリイソシアネート、並びにモノアルコールまたは多価アルコールのエチレンオキサイド単独もしくはエチレンオキサイドおよびプロピレンオキサイド付加物から合成されるノニオン性水系ウレタン樹脂、
（３）平均分子量５０〜１００，０００で２個以上の活性水素含有ポリヒドロキシ化合物または前記ポリヒドロキシ化合物と平均分子量５０〜１００，０００で２個以上の活性水素原子含有多価アミン化合物の併用並びに有機ポリイソシアネートから合成されるウレタン樹脂を、アニオン、カチオン、ノニオン性などの界面活性剤を添加した水中で強制的に乳化させた水系ウレタン樹脂などがあげられる。
【００２５】
かかる前記（１）、（２）および（３）項において、平均分子量５０〜１００，０００で２個以上の活性水素原子含有ポリヒドロキシ化合物としては、エチレングリコール、プロピレングリコール、ブタンジオール、ペンタンジオール、３−メチル−１，５−ペンタンジオール、ヘキサンジオール、ジエチレングリコール、ジプロピレングリコール、ビスフェノールＡ、トリメチロールプロパン、グリセリン、ペンタエリスリトールなどの多価アルコール、前記多価アルコールにアルキレンオキシドを付加したポリエーテルポリオール、前記多価アルコールと多価カルボン酸とを反応させてなるポリエステルポリオール、ポリテトラメチレングリコール、ポリブタジエンポリオール、ヒマシ油ポリオールなどのポリオール化合物などがあげられる。
【００２６】
また、平均分子量５０〜１００，０００で２個以上の活性水素原子含有多価アミン化合物としては、エチレンジアミン、プロピレンジアミン、ジエチレントリアミン、トリエチレンテトラミン、テトラエチレンペンタミンなどの低分子量多価アミン；エポキシアミンアダクト体またはポリアミド樹脂などの高分子量多価アミン化合物があげられる。
【００２７】
次に有機ポリイソシアネートとしてはナフチレンジイソシアネート、イソホロンジイソアネート、キシリレンジイソシアネート、ヘキサメチレンジイソシアネート、水素添加ジフェニルメタンジイソシアネート、ジフェニルメタンジイソシアネート、トリレンジイソシアネートなどあらゆる芳香族、脂肪族、脂環族系のイソシアネート類の単独もしくは混合物があげられる。
【００２８】
次にＮＣＯ基と反応性の活性水素原子および塩形成基を有する化合物およびそれに対応する塩形成剤としては、
１）塩形成性のカルボン酸またはスルホン酸基をもつ化合物および対応する塩形成剤、
２）酸で中和可能な第４級または第３級基になり得る基をもつ化合物および対応する塩形成剤、
３ ） 第４級化反応を起こすハロゲン原子または相当する強酸のエステルを含有する化合物および対応する塩形成剤
などがあげられる。
【００２９】
塩形成性のカルボン酸またはスルホン酸基をもつ化合物としては、例えばグリコール酸、リンゴ酸、グリシン、アミノ安息香酸、アラニン、ジメチロールプロピオン酸などのヒドロキシ酸、アミノカルボン酸、多価ヒドロキシ酸類やタウリン、２−ヒドロキシエタンスルホン酸などのアミノスルホン酸、ヒドロキシスルホン酸類などが、それに対応する塩形成剤としては、たとえば水酸化ナトリウム、水酸化カルシウムなどの１価の金属水酸化物やアンモニア、トリメチルアミン、トリエチルアミンなどの３級アミン化合物などがあげられる。
【００３０】
酸で中和可能な第４級または第３級基になり得る基をもつ化合物としては、例えばＮ −メチルジエタノールアミンなどのアルコキシル化アミン類やＮ−メチル−Ｎ−（３−アミノプロピル）−エタノールアミン、Ｎ，Ｎ−ジメチルヒドラジンなどのアミノアルコール類やアミン類などが、それに対応する塩形成剤としては例えば塩類、硝酸、蟻酸、酢酸、メチルクロライド、ベンジルクロライドなどの有機および無機酸類並びに反応性ハロゲン原子を有する化合物があげられる。
【００３１】
第４級化反応を起こすハロゲン原子または相当する強酸のエステルを含有する化合物としては例えば、２−クロロエタノール、２−ブロムメタノールなどが、それに対応する塩形成剤としては、例えば３級アミン、スルフィド類、ホスフィン類などがあげられる。
【００３２】
次にモノアルコールまたは多価アルコールのエチレンオキサイド単独もしくはエチレンオキサイドおよびプロピレンオキサイド付加物におけるモノアルコールとしては、ブタノール、ペンタノール、ヘキサノール、ヘプタノール、オクタノール、ラウリルアルコールなどが、多価アルコールとしては、前記多価アルコールなどがそれぞれあげられる。
【００３３】
次にアニオン、カチオン、ノニオン性などの界面活性剤としては、通常、界面活性剤の分野で使用されているものがあげられる。
【００３４】
本発明の土砂処理剤は、水系樹脂に含まれる樹脂１００重量部に対して、前記植物精油を１〜３０重量部含有することが好ましく、３〜１０重量部含有することがより好ましい。植物精油の含有量を上記範囲内とすることにより、消臭効果と防塵効果がより優れたものとなる。
【００３５】
また、本発明の土砂処理剤は、さらに、ノニオン性界面活性剤を含有することができる。
【００３６】
ノニオン性界面活性剤としては、例えば、ポリオキシエチレンアルキルエーテル、ポリオキシエチレンアルキルフェニルエーテル、ポリオキシエチレンスチリルエーテル、ポリオキシエチレンアルキルアミンエーテル、ポリオキシエチレン脂肪酸エステル、ソルビタン脂肪酸エステル、ショ糖脂肪酸エステル等が挙げられる。これらの中でも、ポリオキシエチレンアルキルエーテルが好ましく、ポリオキシエチレンラウリルエーテルがより好ましい。
【００３７】
ノニオン性界面活性剤の含有量は、植物精油１００重量部に対して５０〜３００重量部であることが好ましく、７０〜２００重量部であることがより好ましい。ノニオン性界面活性剤の含有量を上記範囲内とすることにより、植物精油を水に可溶化しやすくなるとともに、水系樹脂の乳化分散安定化という効果を奏する。
【００３８】
さらに、本発明の土砂処理剤は、本発明の効果を損なわない程度に、殺菌剤や殺虫剤などの添加剤を含有することができる。
【００３９】
本発明の土砂の処理方法は、前記土砂処理剤を、トリガー式噴霧器、スプレーノズルなどを用いてスプレー噴霧する方法、高圧洗浄機などにより、土砂に散布する方法である。
前記土砂処理剤の使用量は、植物精油と水系樹脂の合計量が土砂１ｍ２あたり１０〜４０ｇであることが好ましく、１５〜３０ｇであることがより好ましい。
【実施例】
【００４０】
以下、実施例に基づいて本発明をさらに詳細に説明するが、本発明はかかる実施例のみに限定されるものではない。
【００４１】
＜使用原料＞
（植物精油）
表１に示す構成比からなるＡ−１〜Ａ−５を用いた。
【００４２】
【表１】
0005769305.tif 000002
【００４３】
（水系樹脂）
Ｂ−１：ポリエステル系アニオン性水系ウレタン樹脂（樹脂含有量：約３０％）
（商品名：スーパーフレックス８２０、第一工業製薬社製）
Ｂ−２：ポリエステル系ノニオン性水系ウレタン樹脂（樹脂含有量：約４５％）
（商品名：スーパーフレックス５００M、第一工業製薬社製）
Ｂ−３：ポリカーボネート系アニオン性水系ウレタン樹脂（樹脂含有量：約３０％）
（商品名：スーパーフレックス４２０、第一工業製薬社製）
【００４４】
（ノニオン性界面活性剤）
Ｃ−１：ポリオキシエチレンラウリルエーテル
（商品名：ノイゲンＥＴ１３５、第一工業製薬社製）
【００４５】
（実施例１）
植物精油（Ａ−１）３重量部、ノニオン性界面活性剤（Ｃ−１）２重量部および水９５重量部とを混合し、さらに、水系樹脂（Ｂ−１）１００重量部を混合することにより、本発明の土砂処理剤を得た。
【００４６】
（実施例２〜５、比較例１〜５）
表２に示す原料および配合量とした以外は、実施例１と同様にして、土砂処理剤を得た。
【００４７】
【表２】
0005769305.tif 000003
【００４８】
（評価試験）
表３に示す土砂１５０ｇを直径１０ｃｍのシャーレ（断面積７８．５ｃｍ２）に投入し、表面を平らにした。実施例１〜５および比較例１〜５の土砂処理剤を水で５倍に希釈し、これをトリガー式噴霧器を用いて、土砂１ｍ２あたり２２．５ｇとなるように散布し、２５℃で２４時間風乾させることにより、評価用サンプルを作製した。
【００４９】
【表３】
0005769305.tif 000004
【００５０】
作製した評価用サンプルを用いて、下記２種類の評価を行った。結果を表６に示す。
【００５１】
（粉塵防止試験）
評価用サンプルを４５度に傾けた状態で１０秒間静止したときの土砂の状態を評価した。
○：土砂は全く崩れない。
×：土砂の一部または全部が崩れ落ちる。
【００５２】
（消臭試験）
作製直後、作製３日後、作製６日後の評価用サンプルについて、臭気強度および快不快度を測定した。測定は、６名のパネラーが表４および表５に示す評価基準し基づき、官能評価を行い、その平均値を求めた。
【００５３】
【表４】
0005769305.tif 000005
【００５４】
【表５】
0005769305.tif 000006
【００５５】
【表６】
0005769305.tif 000007
【００５６】
表６から明らかなように、本発明の土砂処理剤は、粉塵防止効果に優れるとともに、長期にわたって臭気を低減できることがわかる。一方、比較例１〜３のように、植物精油が本発明の構成ではない、または植物精油を使用しない場合には、消臭効果が低く、試験期間の後期において、消臭性能が大きく低下していることがわかる。また、比較例４のように、本発明の水系樹脂を使用しない場合は、粉塵防止効果が得られないばかりでなく、消臭効果も大きく劣ることがわかる。なお、比較例５は水を散布しただけであるため、粉塵防止効果、消臭効果ともに全く得られないことがわかる。
【産業上の利用可能性】
【００５７】
本発明の土砂処理剤は、土砂から発生する粉塵を防止するとともに、長期にわたって臭気を抑制することができる